(57)【要約】【課題】  ハーフボトルタイプのダミー容器をアダプターやアタッチメントを必要とすることなく、ハーフボトル用の半円形の取付孔へは勿論のこと、フルボトル用の円形の取付孔にも取付け得るようにすると共に、更に該ハーフボトルタイプのダミー容器を直立した取付面にも取付けうるようにして、単一のダミー容器を三種類のタイプのステージに配置し得るようにすることを課題とする。【解決手段】  略半円筒形状のハーフボトルタイプのダミー容器であって、容器底部にステージの形成された取付孔の周縁に係入する係合溝を形成すると共に、背部両側に外側方に延び出す板状のストッパーを形成し、更に背部両側に外側方に延び出す差込み板を形成し、底部の係合溝とストッパーにより、水平なステージに形成されたフルボトル若しくはハーフボトル用の取付孔に係着自在とし、差込み板を直立したステージの差込部に装着して取付自在としたことを特徴とする。【選択図】  図１
2005234709.tif 000002
【特許請求の範囲】
【請求項１】
略半円筒形状のハーフボトルタイプのダミー容器であって、容器底部にステージの形成された取付孔の周縁に係入する係合溝を形成すると共に、背部両側に外側方に延び出す板状のストッパーを形成し、更に背部両側に外側方に延び出す差込み板を形成し、底部の係合溝とストッパーにより、水平なステージに形成されたフルボトル若しくはハーフボトル用の取付孔に係着自在とし、差込み板を直立したステージの差込部に装着して取付自在としたことを特徴とする自動販売機用ディスプレー用ダミー容器。
【請求項２】
ストッパーが略三角形状を有し、該三角形の斜面に取付孔の周縁を係着するようにしたことを特徴とする請求項１記載のダミー容器。
【請求項３】
ストッパーに補強と係着の向上のためにリブが形成されていることを特徴とする請求項１または２記載のダミー容器。
【請求項４】
係合溝が、略半円形状に連続する溝からなることを特徴とする請求項１記載のダミー容器。
【請求項５】
係合溝とストッパーとの間に、直立した補強壁を設けたことを特徴とする請求項１乃至４のいずれかに記載のダミー容器。
【請求項６】
差込み板を上方に延出して、ダミー容器の上部に板状の表示部を一体に形成したことを特徴とする請求項１記載のダミー容器。
【発明の詳細な説明】
【技術分野】
【０００１】
この発明は、自動販売機内に設置されるディスプレー用のダミー容器に関し、特に半割タイプのダミー容器に関する。
【背景技術】
【０００２】
従来、自動販売機の見本表示部に配置されるディスプレー用のダミー容器には、実際のボトル容器の形状を模した円筒形の所謂フルボトルと呼ばれるタイプのものと、ボトルを縦半分に切断した形状で底面が略半円形のハーフボトルと呼ばれるタイプのもの及び直立した取付面に取付けるタイプの三種類のダミー容器が、一般的に採用されている。フルボトル及びハーフボトルタイプのダミー容器は、自動販売機の見本表示部に水平に配置された取付台板(ステージ)に形成された取付孔にボトルの底部を装着して配置され、また、直立した取付面に取付けるタイプのダミー容器は、直立したステージの差し込み部にダミー容器の側縁を差し込んで取付ける構造となっている。従来、かかる３タイプのダミー容器を取付けるためのステージはそれぞれ別異のものであり、単一の構造のダミー容器を三種類のステージに取付けうるようにしたものは知られていない。
【０００３】
例えば、フルボトルタイプ用のステージには円形の取付孔が、ハーフボトルタイプ用のステージには半円形の取付孔がそれぞれ設けられており、タイプ毎に異なった専用の取付台板となっている。そこで、円形の取付孔が形成されたフルボトルタイプ用のステージにハーフボトルタイプのダミー容器を取付けるために、アダプターを介して取付けるようにした構造が、例えば、特開２０００−２２２６３６号公報に開示されている。しかしながら、かかるアダプターによってフルボトルとハーフボトルの両タイプのダミー容器を使用可能とする構造では、タイプを変更する毎にアダプターの脱着を要し、手間がかかると共に不使用時のアダプターの保管も面倒であった。
【０００４】
そこで、フルボトル用の円形取付孔に位置合わせのためのストッパー凹部を設け、ハーボトルタイプのダミー容器の底部に該ストッパー凹部に係入するストッパーを突設すると共に、取付孔の周縁に係合する掛合溝を形成してアダプターを介することなく、フルボトルとハーフボトルの両タイプのダミー容器を取付け得るようにした構造が、例えば特開２００１−３１９２６９号公報に開示されている。これにより、アダプターを使用する場合の不都合は解消されるが、直立タイプのステージへも取付け得るような構造は有していなかったと共に、ダミー容器の底部に形成される取付部の高さが大きく形成されているため、直立したステージの取付けた場合、底部の取付部が目立ちディスプレー効果を削減するおそれがあった。このように、従来、三種類のダミー容器取付ステージに、アダプターやアタッチメントを用いることなく取付可能とする単一の構造のダミー容器は全く提案されていない。
【０００５】
【特許文献１】特開２０００−２２２６３６号公報
【特許文献２】特開２００１−３１９２６９号公報
【発明の開示】
【発明が解決しようとする課題】
【０００６】
この発明は、ハーフボトルタイプのダミー容器をアダプターやアタッチメントを必要とすることなく、ハーフボトル用の半円形の取付孔へは勿論のこと、フルボトル用の円形の取付孔にも取付け得るようにすると共に、更に該ハーフボトルタイプのダミー容器を直立した取付面にも取付けうるようにして、単一のダミー容器を三種類のタイプのステージに配置し得るようにすることを課題とするものである。
【課題を解決するための手段】
【０００７】
本発明は、略半円筒形状のハーフボトルタイプのダミー容器であって、容器底部にステージの形成された取付孔の周縁に係入する係合溝を形成すると共に、背部両側に外側方に延び出す板状のストッパーを形成し、更に背部両側に外側方に延び出す差込み板を形成し、底部の係合溝とストッパーにより、水平なステージに形成されたフルボトル若しくはハーフボトル用の取付孔に係着自在とし、差込み板を直立したステージの差込部に装着して取付自在としたことを特徴とする。
【０００８】
ストッパーは、が略三角形状を有し、該三角形の斜面に取付孔の周縁を係着するようにしたことを特徴とし、また、補強と係着の向上のためにリブが形成されている。
【０００９】
係合溝は、略半円形状に連続する溝からなり、好ましくは係合溝とストッパーとの間に、直立した補強壁を設けたことを特徴とする。
【００１０】
差込み板を上方に延出して、ダミー容器の上部に板状の表示部を一体に形成したことを特徴とする。
【発明の効果】
【００１１】
本発明の自動販売機のディスプレー用ダミー容器によれば、単一のハーフボトルタイプのダミー容器をハーフボトル用のステージは勿論のこと、フルボトル用の円形の取付孔を形成したステージにも、アダプターやアタッチメントの如き仲介器具を使用することなく簡単に取付けることが可能であると共に、直立したステージにも取付けることが出来、３タイプのダミー取付け用ステージに単一のダミー容器で対応することが可能となる。
【００１２】
ダミー容器の底部には、略半円形に近く連続した長い係合溝が形成されており、この係合溝を円形若しくは半円形の取付孔の周縁に係合するようにしてあるので、取付孔への取付状態が強固で安定し、振動や風圧を受けても外れるおそれが減少する。また、ダミー容器を正確に正面に向かわせるための位置決め用ストッパーは、ダミー容器の底部の背部両側縁から外方にダミー容器の薄いシート状板材で延出して形成し、リブを設けて補強する構造であるため、取付孔のストッパー凹部に確実に係入し安定した位置決めを達成することが出来る。
【００１３】
しかも、ダミー用の底部に形成される係合構造部は、前述したように略半円形に連続した長い係合溝と外側方に延出する薄いシート状のストッパーからなり、これらは高さを必要とする構造ではないため、ダミー容器の底部の係合構造を高さの小さなものとして、外見上目立たない構造とすることが出来るため、直立したステージに取付けた際にも、取付手段としては不要部分となる底部の係合構造部が目立たず、見てくれの悪さを解消出来る利点がある。また、略半円形の係合溝と背部両側のストッパーとの間を垂直な板形状の補強部とすることが出来、取付により負荷の掛かる底部の係合構造部分の補強を簡単な構造で達成することが可能となる。
【００１４】
更に、ダミー容器の背部両側には側方に一体に延び出す板状の延出部が形成されており、該板状の延出部を直立したステージの差込部に差込んでダミー容器を直立したステージにも取付けることが出来、しかも該板状の円柱粒を更に上方に延出させてダミー容器の上部に延び出す板状表示部にして、この板状表示部をポップ広告等を表示に利用することが出来る。
【発明を実施するための最良の形態】
【００１５】
この発明の好ましい実施の形態を、以下に詳細に説明する。この発明は、単一の構造を有するディスプレー用のダミー容器(１)を、自動販売機のディスプレー部内に水平に配置された図１に示すフルボトル取付け用の円形の取付孔(３a)を有するステージ(２a)と、図２に示すハーフボトル取付け用の半円形の取付孔(３b)を有するステージ(２b)並びに、直立したステージ(２c)の差込み取付部(３c)の三タイプのステージに取付を可能としたことを特徴としている。ダミー容器(１)は、ボトル容器を縦に半分に切断した半割形状で実物のボトル容器を模した形状とデザインを有し、商標等の文字、模様、色彩が印刷されており、薄いプラスチックのシートで成形され、背部からの照明を透過可能である。
【００１６】
ダミー容器の底部には、前記円形若しくは半円形の取付孔(３a)(３b)の周縁に係入する係合溝(５)と、背部両側縁から外側方に延出するストッパー(６)とから成る底部係合部(４)が形成されている。係合溝(５)は、好ましくは略半円形に連続した長さのある溝形状とするが、断続的に形成されていても良い。ストッパー(６)は、ダミー容器と一体に薄いシートを略三角形状に形成され、リブ(７)が突設される。ストッパー(６)をダミー容器と一体に薄いシートで形成することにより、その存在が目立たないと共に、リブ(７)を設けることにより充分な強度を持たすことが出来る。また、三角形状とすることにより、取付孔に係着したとき、図１１に示すように切込部(８)の傾斜が孔の周縁に係合して抜止機能を果たす。また、係合溝(５)とストッパー(６)との間には直立した補強壁(９)が形成されており、底部係合部(４)全体の強度を向上している。
【００１７】
係合溝(５)とストッパー(６)からなる底部係合部(４)は、取付孔(３a)(３b)に係入する係合溝(５)と切込部と取付孔との係着を果たす三角形状のストッパー(６)は、係入と係着を果たしうる高さで充分であり、いずれも大きな高さを必要としないため、底部係合部(４)の高さ(下方への突出長さ）を小さくして、目立たない構造とすることが可能である。この結果、図３に示すように直立したステージ(２c)に取付けた場合、露出する底部係合部(４)が目立たず、見た目の悪さを少なくすることが可能となる。
【００１８】
図４，６に示すように、円形の取付孔(３a)には、正面と平行な直径方向対向位置にストッパー凹部(10)が形成され、該ストッパー凹部(10)から若干回転した位置に挿着凹部(11)が形成される。図４，８に示すように、底部係合部(４)の係合溝(５)を、取付孔(３a)の周縁に係入しつつストッパー(６)を挿着凹部(11)から挿入し、ダミー容器(１)を回転させてストッパー(６)をストッパー凹部(10)に係入させる。係入により、傾斜した切込部(８)が孔の周縁に係着すると共に、図１０に示すようにリブ(７)が凹部(10)に嵌入し、抜止とガタを防止して充分なストッパー機能を果たす。
【００１９】
半円形のハーフボトル用取付孔(３b)に装着する場合、係合溝を孔の周縁に係入しつつ、ダミー容器の背部を弾力的に若干すぼめて、ストッパー(６)をストッパー凹部(10)に係入して取付ける。かかる取付方法は、前記フルボトル用の取付孔に取付ける場合においても同様に適用可能であることは勿論である。
【００２０】
直立したステージ(２c)に取付ける場合、図３，１２に示すようにダミー容器(１)の背部両側に側方に延び出す差込板(12)を一体に形成し、該差込板(12)を立設したステージ(２c)の差込部(３c)に装着して取付ける。好ましくは、差込み板(12)には差込部(３c)と整合する位置にリブ(13)を形成し、差込み保持力の向上と差込み板の補強を図るようにする。この差込み板(12)はダミー容器の側部に一体に形成することができるため、予めダミー容器に設けておいて良いが、立設したステージへの取付が予想される場合に、形成するようにしても良い。また、図１２に示すように、差込み板(12)を上方に板状に延設して、ポップ広告等の表示部(14)とすることが出来る。そして、このようなポップ広告用の表示部と差込み板(12)とを予め一体に形成したダミー容器を用意すれば、図１〜３のいずれの取付ステージへも何等の変更なく取付が可能となる。しかしながら、この発明はかかるポップ広告等の表示部を予め設けておくことを必須とするものではない。必要に応じてダミー容器に一体に形成可能である。
【図面の簡単な説明】
【００２１】
【図１】フルボトル用ステージへの取付状態を示す斜視図
【図２】ハーフボトル用ステージへの取付状態を示す斜視図
【図３】直立したステージへの取付状態を示す斜視図
【図４】フルボトル用ステージへの取付途中を示す拡大斜視図
【図５】ダミー容器の底部を正面から見た拡大図
【図６】フルボトル用取付孔の平面図
【図７】ダミー容器の底面図
【図８】フルボトル用取付孔に取付けた状態のダミー容器の底面図
【図９】フルボトル用取付孔に取付けた状態の中央縦断面図
【図１０】フルボトル用取付孔に取付けた状態のストッパー凹部に部分における縦断面図
【図１１】フルボトル用取付孔に取り付けた状態のストッパー部分に沿った横断面図
【図１２】直立したステージの取付状態を示す斜視図
【符号の説明】
【００２２】
(１)ダミー容器
(２a)(２b)(２c)ステージ
(３a)フルボトル用取付孔
(３b)ハーフボトル用取付孔
(３c)差込部
(４)底部係合部
(５)係合溝
(６)ストッパー
(７)リブ
(８)切込部
(９)補強壁
(10)ストッパー凹部
(11)挿着凹部
(12)差込み板
(13)リブ
(14)表示部
【図１】
2005234709.tif 000003
【図２】
2005234709.tif 000004
【図３】
2005234709.tif 000005
【図４】
2005234709.tif 000006
【図５】
2005234709.tif 000007
【図６】
2005234709.tif 000008
【図７】
2005234709.tif 000009
【図８】
2005234709.tif 000010
【図９】
2005234709.tif 000011
【図１０】
2005234709.tif 000012
【図１１】
2005234709.tif 000013
【図１２】
2005234709.tif 000014